(57)【特許請求の範囲】
【請求項１】
球状の弁体と、その弁体を収納する弁室と、前記弁体を接離させる前記弁室に対面した弁座と、前記弁体が前記弁座の流入側座面から離れたときに前記弁室に連通する流入路と、前記流入路から前記弁室に流入した流体を下流に送り出す複数の流出路と、前記複数の流出路を合流させる合流路と、前記弁座に対向させて前記弁室に形成される弁体当接部を有し、前記弁体当接部は前記弁体の着座する流出側座面を有し、前記複数の流出路は、第１流出路と１乃至複数の第２流出路とで構成され、前記第１流出路は、その流路抵抗が前記第２流出路の流路抵抗よりも小さく、
前記弁体が前記弁体当接部の前記流出側座面に着座することで、前記弁体と前記弁体当接部との間に形成される流出側弁室内流路が閉鎖されて前記第１流出路への流体の流れが停止するように構成されており、前記弁体が前記弁体当接部の前記座面に着座した位置で前記弁体と前記弁座との間に形成される流入側弁室内流路の流路抵抗よりも前記第２流出路の総流路抵抗を大きくし、さらに、前記第２流出路が前記第１流出路の軸線に対して交差角を有することを特徴とする逆止弁。
【請求項２】
前記第１流出路の流路抵抗が前記流入側弁室内流路の流路抵抗よりも小さいことを特徴とする請求項１に記載の逆止弁。
【請求項３】
前記第１流出路の流路抵抗が前記第２流出路の総流路抵抗よりも小さいことを特徴とする請求項１又は２に記載の逆止弁。
【請求項４】
前記第１流出路が前記流入路と同軸上に形成されたことを特徴とする請求項１〜３のいずれかに記載の逆止弁。
【請求項５】
前記第２流出路が前記第１流出路の軸線に対して直角をなすことを特徴とする請求項１〜４のいずれかに記載の逆止弁。
【請求項６】
動力で駆動されて液体を吸入・吐出するポンプを有し、そのポンプの吐出口に請求項１
〜５のいずれかに記載の逆止弁を吐出弁として備えた液圧ポンプ。
【発明の詳細な説明】
【技術分野】
【０００１】
この発明は、車両ブレーキ用液圧制御装置などに採用する逆止弁に関する。
【背景技術】
【０００２】
例えば、前掲の車両ブレーキ用液圧制御装置は、動力駆動の液圧ポンプを有しており、その液圧ポンプには、吐出液の逆流を防止する目的で吐出口に逆止弁が組み込まれている。その逆止弁の従来例として、例えば、下記特許文献１に開示されたものがある。
【０００３】
その特許文献１に開示された流体弁（チェック弁）は、弁室に収納された球状の弁体に、伝達部材を経由してコイルばねの力を加え、その力で弁体を弁座に着座させている。また、弁体が弁座の座面から離れたときに弁室に連通する流入路に対して、弁室に流入した流体を下流に送り出す流出路を直角向き（流入路の軸線に対して流出路の軸線が直角をなす向き）に形成している。そしてさらに、伝達部材経由で弁体に加えるコイルばねの力の印加点を、流入路の軸線の延長線上から流出路が形成される側とは反対側に偏らせている。
【０００４】
特許文献１のチェック弁は、上記の構造により、受圧面に働く圧力差を受けて開弁位置に動いた弁体が前記コイルばねの力で弁室の流出路形成側の壁面に押し付けられる。このときの弁体は、弁座と、弁室の壁面と、コイルばねの力を受けた伝達部材に３点で接触する。そのような接触状態を作り出すことで弁体の脈動による振動を抑制するようにしている。
【先行技術文献】
【特許文献】
【０００５】
【特許文献１】特開２００４−０６８８１１号公報
【発明の概要】
【発明が解決しようとする課題】
【０００６】
上記特許文献１のチェック弁は、弁体が、流出路の軸線と平行な面上において、弁座、弁室の壁面及び伝達部材に接触する。加えて、伝達部材はボールなどを用いた可動部材であり、弁室に導入される流体圧が急激に変動するとその可動部材が変位するなどの虞もある。そのために、開弁位置での弁体の固定が安定せず、弁体の振動抑制が不十分になる虞がある。
【０００７】
特許文献１のチェック弁は、上記の理由により、ピストンポンプの脈動に対しても不安が残る。また、ポンプの吐出量が増加し、チェック弁を通過する流体の量が増加することで、弁体の周りの流体の流れが乱れ、弁体が振動する可能性が高くなる。その振動が激しいと、弁体や弁座に打痕(傷)がつき、弁部のシール性が失われることがある。
【０００８】
この発明は、弁体の振動が効果的に抑制されてポンプの吐出弁として用いたときに脈動を増幅することがなく、また、振動に起因した騒音も防止されるようにするために、チェック弁を通過する流体の量が増加するに伴い、弁体の周りの流体の流れが乱れやすくなる場合でも弁体の開弁位置での支持が安定してなされるようにすることを課題としている。
【課題を解決するための手段】
【０００９】
上記の課題を解決するため、この発明においては、逆止弁を、
球状の弁体と、その弁体を収納する弁室と、前記弁体を接離させる前記弁室に対面した
弁座と、前記弁体が前記弁座の流入側座面から離れたときに前記弁室に連通する流入路と、前記流入路から前記弁室に流入した流体を下流に送り出す複数の流出路と、前記複数の流出路を合流させる合流路と、前記弁座に対向させて前記弁室に形成される弁体当接部を有し、前記弁体当接部は前記弁体の着座する流出側座面を有し、前記複数の流出路は第１流出路と１乃至複数の第２流出路とで構成され、前記第１流出路は、その流路抵抗が前記第２流出路の流路抵抗よりも小さく、
前記弁体が前記弁体当接部の前記流出側座面に着座することで、前記弁体と前記弁体当接部との間に形成される流出側弁室内流路が閉鎖されて前記第１流出路への流体の流れが停止するように構成されており、前記弁体が前記弁体当接部の前記座面に着座した位置で前記弁体と前記弁座との間に形成される流入側弁室内流路の流路抵抗よりも前記第２流出路の総流路抵抗を大きくし、さらに、前記第２流出路が前記第１流出路の軸線に対して交差角を有するようにした。
【００１０】
なお、弁体と弁座との間に形成される流入側弁室内流路の流路抵抗よりも第２流出路の流路抵抗を大きくすることは、前記流入側弁室内流路の流路面積よりも第２流出路の総流路面積を小さくするなどの方法で実現することができる。
【００１１】
この逆止弁の好ましい形態を以下に列挙する。
（１）前記第１流出路の流路抵抗を前記流入側弁室内流路の流路抵抗よりも小さくしたも
の。
（２）前記第１流出路の流路抵抗を前記第２流出路の総流路抵抗よりも小さくしたもの。
（３）前記弁体当接部が、前記弁体を着座させて前記流出側弁室内流路を閉鎖する座面を
有しているもの。
（４）前記第１流出路が前記流入路と同軸上に形成されたもの。
（５）前記第２流出路が、前記第１流出路の軸線に対して直角をなすもの。
【００１２】
この発明は、上述した逆止弁を吐出弁として吐出口に備えた液圧ポンプも併せて提供する。
【発明の効果】
【００１３】
この発明の逆止弁は、弁体が流入路から弁室に流入する流体に押し動かされて弁座の座面から離れ、弁体と弁座とで構成される弁部が開く(開弁する)。開弁の初期には、弁体と弁体当接部との間に形成される流出側弁室内流路が十分に開いており、弁室に流入した流体は多くが流路抵抗の小さい第1流出路に流れる。その流れに弁体が押し流され、その弁体が弁体当接部に押し付けられる。
【００１４】
この状態では、前記流出側弁室内流路が縮小し、そのために、弁室に流入した流体は第２流出路から流出する。このとき、第２流出路の総流路抵抗が流入側弁室内流路の流路抵抗よりも大きいため、弁室の圧力と前記合流路の圧力に差が生じる（弁室の圧力が大きい）。そして、その圧力差で弁体が弁体当接部に安定して押し付けられる。これにより、開弁位置での弁体の支持が安定し、弁体の振動が効果的に抑制される。そのために、弁体の振動による脈動の増幅や、騒音の発生が防止される。
【００１５】
なお、上記において好ましいとした形態の作用・効果は後に説明する。
【図面の簡単な説明】
【００１６】
【図１】この発明の逆止弁の一例を示す断面図
【図２】この発明の逆止弁の他の例を示す断面図
【図３】この発明の逆止弁を用いたこの発明の液圧ポンプの回路図
【図４】この発明の逆止弁のさらに他の例を示す断面図
【発明を実施するための形態】
【００１７】
以下、添付図面の図１〜図４に基づいて、この発明の逆止弁とそれを用いた液圧ポンプの実施の形態を説明する。
【００１８】
図１は、この発明の逆止弁の第１の形態を示している。この逆止弁２０は、球状の弁体
１と、その弁体１を収納する弁室２と、弁体１を接離させる弁座３と、弁体１が弁座３の
座面（流入側座面）３ａから離れたときに弁室２に連通する流入路４と、座面３ａから離れた弁体１を当接させる弁体当接部５と、流入路４から弁室２に流入した流体を下流に送り出す第１流出路６及び第２流出路７と、それ等の流出路の出口につながってそれ等の流出路を合流させる合流路８とで構成されている。
【００１９】
例示の逆止弁２０は、弁室２に対面させる弁座３をハウジング９に一体形成したが、別体の弁座をハウジング９に取り付けることも可能である。また、ハウジング９にケース１０を固定し、そのケース１０とハウジング９の一部とで弁室２を作り出したが、弁室２はハウジング９に一体に形成されたものであってもよい。
【００２０】
流入路４から弁室２に流入した流体を合流路８に流す流出路は、上記第１流出路６と第２流出路７の２者で構成されている。第２流出路７の設置数は１に限定されない。その第２流出路７は複数あってもよい。
【００２１】
例示の逆止弁２０は、第１流出路６が、弁室２を間に挟んで流入路４の延長上(流入路
４の軸線Ｌ１と同軸上)に配置されている。そして、その第１流出路６の弁室２に対する
開口端に弁体当接部５を設けている。図示の弁体当接部５は、弁体１を着座させる座面５
ａ（流出側座面）を有しており、その座面５ａに弁体１が着座することで、弁体１と弁体当接部５との間に形成される流出側弁室内流路１１が閉鎖される。
【００２２】
第１流出路６の流路抵抗は、第２流出路７の流路抵抗よりも小さい。第２流出路７が複数ある場合には、各第２流出路７の流路抵抗を全部合わせた総流路抵抗と比較してその総流路抵抗よりも第１流出路６の流路抵抗を小さくする。流路面積に差をつけることでそのようにすることが可能である。
【００２３】
第２流出路７の流路抵抗は、弁体当接部５に当接した(座面５ａに着座した)弁体１、すなわち、図１の鎖線位置にある弁体１と弁座３との間に形成される流入側弁室内流路１２の流路抵抗よりも大に設定されている。この場合も、第２流出路７が複数あるときには、各第２流出路７の流路抵抗を全部合わせた総流路抵抗を流入側弁室内流路１２の流路抵抗と比較してそれぞれの流路の流路抵抗の大小関係を設定する。流路面積に差をつけることでその設定を行える。
【００２４】
このように構成した逆止弁２０は、流入路４から弁室２に流入する流体に弁体１が押し動かされ、その弁体１が弁座３の座面３ａから離れて開弁する。その開弁の初期には、既に述べたように、流出側弁室内流路１１が十分に開いており、弁室２に流入した流体は多くが流路抵抗の小さい第1流出路６に流れる。その流れに弁体１が押し流され、弁体当接部５に押し付けられる。
【００２５】
その動作で、流出側弁室内流路１１が縮小し、そのために、弁室２に流入した流体は第２流出路７から流出する。このとき、第２流出路７と流入側弁室内流路１２の流路抵抗の差によって弁室２と合流路８に圧力差が生じ、その圧力差で弁体１が弁体当接部５に安定して押し付けられる。そのために、開弁位置での弁体１の支持が安定し、弁体１の振動が効果的に抑制される。
【００２６】
なお、例示の逆止弁は、好ましい構成として、第１流出路６の流路抵抗を流入側弁室内流路１２の流路抵抗よりも小さくしている。これにより、開弁初期の弁体当接部５への弁体１の押し付けが円滑になる。
【００２７】
また、第１流出路６の流路抵抗を第２流出路７の流路抵抗（第２流出路が複数あるときは総流路抵抗）よりも小さくしており、これにより、開弁初期の流体は第１流出路６側に流れ易くなり、弁体当接部５への弁体１の押し付けを円滑化するのに役立つ。
【００２８】
さらに、第２流出路７を第１流出路６の軸線Ｌ２に対して直角をなすものにしており、これも開弁初期の流体を第１流出路６側に流れ易くして、弁体当接部５への弁体１の押し付けを円滑化する効果がある。
【００２９】
第２流出路７は、図２に示すように、第１流出路６の軸線Ｌ２に対して斜めに交わる線上に配置してもよい。図２の逆止弁２０の第２流出路７は、流入路４側から見て出口が手前側に戻る方向に傾けており、弁室２に流入した流体が第２流出路７を通るときに流れが反転するような状況が作り出される。従って、図１の第２流出路や、傾きの方向が図２とは逆になった第２流出路に比べると流体の流れに抵抗が加わりやすく、開弁初期に第１流出路６側に流体を流れやすくする効果がある。
【００３０】
なお、図４に示すように、この発明の逆止弁には、弁体を閉弁方向に付勢して弁座の座面に押し付ける付勢手段１３が含まれていてもよい。その付勢手段１３は開弁圧の設定に自由度を生じさせる。
付勢手段１３がばねの場合、その手段の付勢力（ばね荷重）は、弁体１の閉弁位置から弁体当接部５までの移動の過程で増加する。この付勢力の増加分より、流入側弁室内流路１２と第１流出路６および第２流出路７の流路抵抗の差による圧力差により弁体１に働く力が大きくなるように各部の流路抵抗が設定されている。このため、弁体１は、弁体当接部５へスムーズに移動する。
本発明の逆止弁の構成によれば、流路径を大きくして、流路面積を増やすことで、乱流の発生を防止する方法を採らなくても、弁体の周りの流体の流れが乱流となった場合においても、開弁時の弁体位置を安定させて振動による音の発生、脈動の増幅の低減を、流体弁その他の体格を大きくすることなく、実現できる。
【００３１】
以上説明したこの発明の逆止弁は、液圧ポンプにおいて吐出した液体のポンプ室への逆流を阻止する吐出弁や液圧回路内に組み込む逆止弁として使用することができる。
【００３２】
図３は、動力で駆動されて液体を吸入・吐出する液圧ポンプであり、吐出口に上述した逆止弁２０を吐出弁として備えている。この液圧ポンプ２１は、ピストンポンプでもよいが、歯車ポンプなどの定量ポンプであるとこの発明の効果が顕著に発揮される。
【００３３】
脈動が敬遠される用途では、液圧ポンプとして、ギヤポンプ、ベーンポンプ、スクリューポンプなどの定量ポンプが用いられる。その定量ポンプを使用しても、流量の増加により乱流域に達すると、乱流による流れの渦化が発生し、さらに流れが増えることで、渦が細かくなり、弁体が微振動し、それが増幅されて弁体が激しく振動することがある。これでは、弁部の耐久性に対する悪影響や騒音の発生が避けられず、高価な定量ポンプを使用する意味が薄れる。この発明の流体弁を吐出弁として備えることで、定量ポンプの利点が生かされる。
【産業上の利用可能性】
【００３４】
この発明の流体弁は、ＡＢＳ（アンチロックブレーキシステム）、ＥＳＣ（Ｅｌｅｃｔｒｏｎｉｃ Ｓｔａｂｉｌｉｔｙ Ｃｏｎｔｒｏｌ）などの電子制御機能を備えた車両用ブレーキ液圧制御装置の回路構成部品やブレーキ液圧制御装置以外の液圧装置の回路構成部品として有効に利用することができる。
【符号の説明】
【００３５】
１          弁体
２          弁室
３          弁座
３ａ        座面
４          流入路
５          弁体当接部
５ａ        座面
６          第１流出路
７          第２流出路
８          合流路
９          ハウジング
１０        ケース
１１        流出側弁室内流路
１２        流入側弁室内流路
１３        付勢手段
２０        逆止弁
２１        液圧ポンプ
【図１】
0005454036.tif 000002
【図２】
0005454036.tif 000003
【図３】
0005454036.tif 000004
【図４】
0005454036.tif 000005